(57)【要約】【課題】撮影時の補助光源に好適な演色性に優れた白色を発光でき、かつ、盗撮の防止にも有効に利用できる発光装置を提供すること。【解決手段】発光装置は、互いに異なる第１および第２の波長の光をそれぞれ発光する第１および第２のＬＥＤチップと、第１および第２のＬＥＤチップを封止する透光性の封止樹脂とを備え、封止樹脂は第１の波長の光によって励起され第２の波長の光によって励起されない蛍光体を含有し、第１および第２の波長の光と蛍光体から発せられた光との混色による白色と、第２の波長の光とを選択的に発光できるように構成される。【選択図】図３
2008305992.tif 000002
【特許請求の範囲】
【請求項１】
互いに異なる第１および第２の波長の光をそれぞれ発光する第１および第２のＬＥＤチップと、第１および第２のＬＥＤチップを封止する透光性の封止樹脂とを備え、封止樹脂は第１の波長の光によって励起され第２の波長の光によって励起されない蛍光体を含有し、第１および第２の波長の光と蛍光体から発せられた光との混色による白色と、第２の波長の光とを選択的に発光できるように構成された発光装置。
【請求項２】
封止樹脂は蛍光体を含有する第１層と蛍光体を含有しない第２層との積層構造を有し、第１のＬＥＤチップはその発光部が第１層に位置するように設けられ、第２のＬＥＤチップはその発光部が第２層に位置するように設けられる請求項１に記載の発光装置。
【請求項３】
第１および第２のＬＥＤチップを収容するための凹部を有する基体をさらに備え、第１層と第２層の境界面は凹部の底面と平行である請求項２に記載の発光装置。
【請求項４】
第１のＬＥＤチップが青色ＬＥＤチップであり、第２のＬＥＤチップが赤色ＬＥＤチップであり、蛍光体が黄色蛍光体である請求項１〜３のいずれか１つに記載の発光装置。
【請求項５】
第１のＬＥＤチップが青色ＬＥＤチップであり、第２のＬＥＤチップが赤色ＬＥＤチップであり、蛍光体が緑色蛍光体である請求項１〜３のいずれか１つに記載の発光装置。
【請求項６】
請求項１〜５のいずれか１つに記載の発光装置を撮像時の補助光源として備えたカメラ付き携帯電話。
【請求項７】
発光装置の点灯を制御する制御部をさらに備え、制御部は撮像時を除くカメラモード時に第２の波長の光を連続的又は間欠的に発光させるように第１および第２のＬＥＤチップの点灯を制御する請求項６に記載のカメラ付き携帯電話。
【請求項８】
制御部は、撮像時を除くカメラモード時で補助光源として点灯要求がなされているときには第１および第２のＬＥＤチップを連続的に発光させ、補助光源として点灯要求がなされていないときには第１のＬＥＤチップを発光させず、第２のＬＥＤチップのみを連続的又は間欠的に発光させる請求項７に記載のカメラ付き携帯電話。
【請求項９】
制御部は、撮像時を除くカメラモード時で補助光源として点灯要求がなされているときには第１のＬＥＤチップを間欠的に発光させると共に第２のＬＥＤチップを連続的に発光させ、補助光源として点灯要求がなされていないときには第１のＬＥＤチップを発光させず、第２のＬＥＤチップのみを連続的又は間欠的に発光させる請求項７に記載のカメラ付き携帯電話。
【請求項１０】
制御部は、メール若しくは電話の着信時又は充電時に第２の波長の光を連続的又は間欠的に発光させるように第１および第２のＬＥＤチップの点灯を制御する請求項７に記載のカメラ付き携帯電話。
【発明の詳細な説明】
【技術分野】
【０００１】
この発明は、発光装置およびそれを搭載したカメラ付き携帯電話に関し、詳しくは、発光ダイオードなどの発光素子を用いた発光装置と、それを撮影時の補助光源として搭載したカメラ付き携帯電話に関する。
【背景技術】
【０００２】
この発明に関連する従来技術としては、カメラ付き携帯電話の補助光源として搭載される発光装置であって、共通の基板上に白色ＬＥＤと青色ＬＥＤが搭載され、両ＬＥＤが共通の枠体で覆われて白色光と青色光をそれぞれ発光できるように構成され、白色光を撮影時の補助光源に、青色光を着信ランプとして使用するものが知られている（例えば、特許文献１参照）。
【０００３】
また、この発明に関連する更なる従来技術としては、青色ＬＥＤおよび赤色ＬＥＤ、並びに、青色光によって励起され緑色光を発する緑色蛍光体とを組み合せることにより、２色のチップで演色性に優れた白色を発光できるように構成された発光装置が知られている（例えば、特許文献２参照）。
【０００４】
【特許文献１】特開２００６−２９５０８２号公報
【特許文献２】特開２００４−３２７４９２号公報
【発明の開示】
【発明が解決しようとする課題】
【０００５】
近年、カメラ付き携帯電話の普及が著しく進んでいる。カメラ付き携帯電話の多くは、暗い場所での撮影に対応するため補助光源として発光ダイオード（ＬＥＤ）を用いた白色発光装置を搭載している。
【０００６】
ＬＥＤを用いた白色発光装置には、大きく分けて次の３種類がある。
１つ目は、青色ＬＥＤとＹＡＧ（イットリウム・アルミニウム・ガーネット）系蛍光体とを組み合せ、青色光と励起された蛍光体から発せられる黄色光とを混色させることにより擬似的な白色を発光するものである。しかしながら、このような擬似的な白色は赤色の成分が欠如しているため演色性に劣り、補助光源として用いられた場合には撮影された画像の色合いが青緑色に寄ってしまう、いわゆる「色かぶり」と呼ばれる現象を引き起こすことがある。
２つ目は、ＲＧＢの３色のＬＥＤを組み合せ、ＲＧＢの３色を混色させることにより白色を発光するものである。
３つ目は、青色ＬＥＤおよび赤色ＬＥＤ、並びに、青色光によって励起され緑色光を発する緑色蛍光体を組み合せることにより、２色のチップでＲＧＢの３色の混色による白色を発光するものである。
【０００７】
上記の３種類の白色発光装置のうち、特に３つ目のものは、２色のＬＥＤチップと蛍光体という簡易な構成でありながら、ＲＧＢの３色の混色による演色性に優れた白色を発光でき、実装面積やコスト的な面で優れていると言える。
【０００８】
ところで、近年のカメラ付き携帯電話の普及は、常時携帯される携帯電話に撮影機能を付加することにより、ユーザーに時と場所を問わず様々な場面で手軽に撮影できる機会を提供した。
しかし、残念なことに、ユーザーのなかには手軽に撮影できる利点を悪用し、盗撮等のモラルに反する行為を行う者も存在する。
盗撮等の行為を防ぐためには、ユーザーのモラル向上が何よりも大切であるが、盗撮等を行い難い携帯電話の開発も必要である。
【０００９】
そこで盗撮等を行い難くするため、電子シャッターを押した際に擬似的なシャッター音を発するように構成された携帯電話が一般的になっている。
擬似的なシャッター音は、盗撮等の防止を図る上で一定の成果を挙げていると推測されるが、シャッター音は混雑した雑踏の中ではかき消されてしまうことも多く、シャッター音以外の点でさらなる改善が求められている。
【００１０】
この発明は以上のような事情を考慮してなされたものであり、撮影時の補助光源に好適な演色性に優れた白色を発光でき、かつ、盗撮の防止にも有効に利用できる発光装置を提供するものである。
【課題を解決するための手段】
【００１１】
この発明は、互いに異なる第１および第２の波長の光をそれぞれ発光する第１および第２のＬＥＤチップと、第１および第２のＬＥＤチップを封止する透光性の封止樹脂とを備え、封止樹脂は第１の波長の光によって励起され第２の波長の光によって励起されない蛍光体を含有し、第１および第２の波長の光と蛍光体から発せられた光との混色による白色と、第２の波長の光とを選択的に発光できるように構成された発光装置を提供するものである。
【発明の効果】
【００１２】
この発明による発光装置によれば、選択的に発光される第２の波長の光によって周囲に注意を喚起することにより盗撮の防止に資することができ、さらには第１および第２の波長の光と蛍光体から発せられる光とを混色させて白色を得るので、演色性に優れた白色を発光することができる。
【発明を実施するための最良の形態】
【００１３】
この発明による発光装置は、互いに異なる第１および第２の波長の光をそれぞれ発光する第１および第２のＬＥＤチップと、第１および第２のＬＥＤチップを封止する透光性の封止樹脂とを備え、封止樹脂は第１の波長の光によって励起され第２の波長の光によって励起されない蛍光体を含有し、第１および第２の波長の光と蛍光体から発せられた光との混色による白色と、第２の波長の光とを選択的に発光できるように構成されたことを特徴とする。
【００１４】
この発明による発光装置において、第１の波長の光とは、ある一定の帯域の波長を有する光であればよく特に限定されるものではないが、最終的に白色を得る観点からすれば、例えば、４１０〜４６０ｎｍ程度の波長を有する光が好ましく紫外光から青色光までを含む。
この場合、第１のＬＥＤチップとしては、例えば、窒化ガリウム系化合物を含有した紫外ＬＥＤチップ、青紫色ＬＥＤチップ、青色ＬＥＤチップなどが挙げられる。
【００１５】
また、第２の波長の光とは、第１の波長の光と同様に、ある一定の帯域の波長を有する光であればよく特に限定されるものではないが、最終的に白色を得る観点からすれば、例えば、５９０〜１０００ｎｍ程度の波長を有する光が好ましく橙色光から赤外光までを含む。
この場合、第２のＬＥＤチップとしては、例えば、ガリウムヒ素燐を含有した橙色ＬＥＤチップ、ガリウム・アルミニウムヒ素を含有した赤色ＬＥＤチップ、ガリウムヒ素を含有した赤外ＬＥＤチップなどが挙げられる。
【００１６】
透光性の封止樹脂とは、第１および第２のＬＥＤチップを外部の衝撃や大気中の水分から保護するべく封止する樹脂部材を意味する。封止樹脂としては、例えば、エポキシ樹脂、シリコーン樹脂、ポリイミド樹脂などの耐候性に優れた透光性樹脂を用いることができる。
【００１７】
封止樹脂に含有される蛍光体としては、上記の第１の波長の光によって励起され第２の波長の光によって励起されないものであればよく特に限定されるものではないが、最終的に白色を得る観点からすれば、第１の波長の光によって励起させられた際に５００〜５９０ｎｍ程度の波長を有する光を発光するものが好ましく、緑色蛍光体および黄色蛍光体を含む。
ここで、蛍光体としては、例えば、基体として、亜鉛、カドミウム、マグネシウム、シリコン、イットリウム等の希土類元素等の酸化物、硫化物、珪酸塩、バナジン酸塩等の無機蛍光物質、またはフルオレセイン、エオシン、油類（鉱物油）等の有機蛍光物質から選択し、付活体として、銀、銅、マンガン、クロム、ユウロビウム、亜鉛、アルミニウム、鉛、リン、砒素、金などから選択し、融剤として、塩化ナトリウム、塩化カリウム、炭酸マグネシウム、塩化バリウムなどから選択して得られたものを用いることができる。
【００１８】
この発明による発光装置において、封止樹脂は蛍光体を含有する第１層と蛍光体を含有しない第２層との積層構造を有し、第１のＬＥＤチップはその発光部が第１層に位置するように設けられ、第２のＬＥＤチップはその発光部が第２層に位置するように設けられてもよい。
このような構成によれば、蛍光体の励起に関与しない第２のＬＥＤチップの発光部が蛍光体を含有しない第２層に位置することとなるので、第２のＬＥＤチップから発せられた光が蛍光体に蹴られて遮られることがなくなり、第２のＬＥＤチップから発せられた光を効率よく外部に出射させることができる。
【００１９】
この発明による発光装置は、第１および第２のＬＥＤチップを収容するための凹部を有する基体をさらに備え、第１層と第２層の境界面は凹部の底面と平行であってもよい。
このような構成によれば、第１のＬＥＤチップの発光部から第１層と第２層との境界面に至る距離が均一化されることにより蛍光体の励起特性が安定し、出射方向によって色合いが変化することを抑制できる。
【００２０】
この発明による発光装置において、第１のＬＥＤチップは青色ＬＥＤチップであり、第２のチップは赤色ＬＥＤチップであり、蛍光体は黄色蛍光体であってもよい。
このような構成によれば、青色と黄色の混色による擬似的な白色に赤色の成分が加わることにより、演色性に優れた白色を得ることができる。
なお、ここで黄色蛍光体としては、例えば、ＹＡＧ（イットリウム・アルミニウム・ガーネット）系の蛍光体を挙げることができる。
【００２１】
この発明による発光装置において、第１のＬＥＤチップは青色ＬＥＤチップであり、第２のＬＥＤチップは赤色ＬＥＤチップであり、蛍光体は緑色蛍光体であってもよい。
このような構成によれば、赤色、緑色および青色の混色による演色性に優れた白色を得ることができる。
なお、ここで緑色蛍光体としては、例えば、ＣＳＭＳ蛍光体（Ｃａ3（Ｓｃ・Ｍｇ）2Ｓｉ3Ｏ12：Ｃｅ）を挙げることができる。
【００２２】
この発明は別の観点からみると、この発明による上述の発光装置を撮像時の補助光源として備えたカメラ付き携帯電話を提供するものでもある。
この発明による上記のカメラ付き携帯電話によれば、演色性に優れた白色を撮像時の補助光源として利用できるだけでなく、選択的に発光される第２の波長の光によって周囲に注意を喚起し盗撮の防止を図ることもできる。
【００２３】
この発明による上記のカメラ付き携帯電話は、発光装置の点灯を制御する制御部をさらに備え、制御部は撮像時を除くカメラモード時に第２の波長の光を連続的又は間欠的に発光させるように第１および第２のＬＥＤチップの点灯を制御してもよい。
このような構成によれば、実際の撮像時を除くカメラモード時には第２の波長の光が連続的又は間欠的に点灯するので、周囲に当該携帯電話が何らかの作動状態にあることを効果的に知らしめることができ、盗撮の防止を図るうえで好ましいものとなる。
【００２４】
撮像時を除くカメラモード時に第２の波長の光が連続的又は間欠的に発光する上記構成において、制御部は、撮像時を除くカメラモード時で補助光源として点灯要求がなされているときには第１および第２のＬＥＤチップを連続的に発光させ、補助光源として点灯要求がなされていないときには第１のＬＥＤチップを発光させず、第２のＬＥＤチップのみを連続的又は間欠的に発光させてもよい。
【００２５】
このような構成によれば、カメラモード時で補助光源としての点灯要求がなされているときには白色光の連続点灯状態となり、補助光源としての点灯要求がなされていないときには第２の波長の光の連続点灯状態もしくは点滅状態となる。
これにより、補助光源としての点灯要求の有無に係わらず、カメラモード時には光によって周囲に当該携帯電話が何らかの作動状態にあることを知らしめることができ、盗撮の防止効果が得られる。
【００２６】
撮像時を除くカメラモード時に第２の波長の光が連続的又は間欠的に発光する上記構成において、制御部は、撮像時を除くカメラモード時で補助光源として点灯要求がなされているときには第１のＬＥＤチップを間欠的に発光させると共に第２のＬＥＤチップを連続的に発光させ、補助光源として点灯要求がなされていないときには第１のＬＥＤチップを発光させず、第２のＬＥＤチップのみを連続的又は間欠的に発光させてもよい。
【００２７】
このような構成によれば、カメラモード時で補助光源としての点灯要求がなされているときには白色光と第２の波長の光が交互に点灯する点滅状態となり、補助光源として点灯要求がなされていないときには、第２の波長の光の連続点灯状態もしくは点滅状態となる。
これにより、補助光源としての点灯要求の有無に係わらず、カメラモード時には第２の波長の光が点灯もしくは点滅することとなり、周囲に当該携帯電話が何らかの作動状態にあることをより積極的に知らしめることができ、さらなる盗撮の防止効果が得られる。
【００２８】
以下、図面に基づいてこの発明を詳細に説明する。なお、以下に説明する複数の実施形態において、共通する部材には同じ符号を付して説明する。
【００２９】
実施形態１
この発明の実施形態１に係る発光装置について、図１および図２に基づいて説明する。図１は実施形態１に係る発光装置の平面図、図２は図１のＡ−Ａ断面図、図３は図１のＢ−Ｂ断面図である。
【００３０】
図１〜３に示されるように、実施形態１に係る発光装置１０は、青色および赤色の波長の光をそれぞれ発光する青色ＬＥＤチップ１および赤色ＬＥＤチップ２と、青色および赤色ＬＥＤチップ１，２を封止する透光性の封止樹脂３とを備え、封止樹脂３は青色の波長の光によって励起され赤色の波長の光によって励起されない黄色蛍光体４を含有し、青色および赤色の波長の光と黄色蛍光体から発せられた黄色光との混色による白色と、赤色の波長の光とを選択的に発光できるように構成されている。
【００３１】
図１〜３に示されるように、青色ＬＥＤチップ１と赤色ＬＥＤチップ２は、基体５の凹部５ａに収容されている。
凹部５ａの底には、青色ＬＥＤチップ１および赤色ＬＥＤチップ２とそれぞれ電気的に導通をとるために、Ａｇメッキが施された銅製のリードフレーム６ａ，６ｂ，７ａ，７ｂがそれぞれ対をなすように延出している。
基体５は樹脂からなり、リードフレーム６ａ，６ｂ，７ａ，７ｂはインサート成型により基体５と一体をなすように設けられている。
【００３２】
青色ＬＥＤチップ１および赤色ＬＥＤチップ２は、それらのカソード電極（図示せず）が一方のリードフレーム６ａ，７ａとそれぞれ対向する関係となるようにリードフレーム６ａ，７ａ上にＡｇペースト８を介して搭載されている。
なお、カソード電極がＡｕＳｎ又はＳｎからなる場合には、Ａｇペースト８を使用することなく、リードフレーム６ａ，７ａ上に加熱による合金層を形成して直接接合することも可能である。
このような構成によれば、Ａｇペースト８を使用する場合よりも、ＬＥＤチップ１，２からリードフレーム６ａ，７ａへの熱伝導性が向上し、発熱に対する信頼性に優れた構造となる。
【００３３】
一方、青色ＬＥＤチップ１と赤色ＬＥＤチップ２のアノード電極（図示せず）は、金線９によって他方のリードフレーム６ｂ，７ｂにそれぞれワイヤボンディングされている。
これにより、青色ＬＥＤチップ１と赤色ＬＥＤチップ２は、1対のリードフレーム６ａ，６ｂ，７ａ，７ｂとそれぞれ電気的に接続される。
【００３４】
電気的に接続された青色ＬＥＤチップ１と赤色ＬＥＤチップ２は、外部からの衝撃や大気中の水分から保護される必要があるため封止樹脂３で封止される。
封止樹脂３は、黄色蛍光体４が分散混合された透明なエポキシ樹脂又はシリコーン樹脂からなり、電気的に接続された青色ＬＥＤチップ１と赤色ＬＥＤチップ２を埋設するように凹部５ａに充填されている。
黄色蛍光体４は、青色ＬＥＤチップ１が発する青色の波長の光によって励起されて黄色光を発光する。
このため、青色ＬＥＤチップ１と赤色ＬＥＤチップ２が同時に発光すると、青色、黄色および赤色の光が同時に発せられることとなり、青色光と黄色光との混色による擬似的な白色光に赤色光の成分が加えられ、演色性が改善された白色光が発せられる。
【００３５】
また、上記の黄色蛍光体４は、赤色ＬＥＤチップ２が発する赤色光によっては励起されないため、赤色ＬＥＤチップ２のみが単独で点灯させられた際には赤色光のみが発光装置１０から発せられる。
このように、実施形態１に係る発光装置１０は、２色のＬＥＤチップ１，２のみで青色光、黄色光および赤色光の混色による演色性が改善された白色光と、赤色光とを選択的に発光することができ、構成の簡易化によるコストの低減と、小型化による実装面積の減少を達成している。
【００３６】
実施形態２
この発明の実施形態２に係る発光装置について図４に基づいて説明する。図４は実施形態２に係る発光装置の断面図である。
図４に示されるように、実施形態２に係る発光装置２０は、封止樹脂２３が黄色蛍光体４を含有した第１層２３ａと、黄色蛍光体４を含有しない第２層２３ｂとの積層構造を有し、青色ＬＥＤチップ１はその発光部１ａが第１層２３ａに位置するように設けられ、赤色ＬＥＤチップ２はその発光部２ａが第２層２３ｂに位置するように設けられている。その他の構成は上述の実施形態１に係る発光装置１０と同様である。
【００３７】
実施形態２に係る発光装置２０は、黄色蛍光体４の励起に寄与しない赤色ＬＥＤチップ２の発光部２ａが、黄色蛍光体４を含有しない第２層２３ｂに位置するように設けられるので、赤色ＬＥＤチップ２から発せられた赤色光が蛍光体４に蹴られて遮られることがなくなり、出射効率の向上が図られている。
【００３８】
上述の実施形態１および２では、蛍光体として黄色蛍光体４を用いた例を説明したが、もちろん、黄色蛍光体４に代えて、青色の波長の光によって励起され緑色光を発する緑色蛍光体が用いられても構わない。
黄色蛍光体４に代えて緑色蛍光体が用いられた場合、光の３原色である赤色、緑色および青色の光の混色による白色光を発光することができ、より演色性に優れ、自然の光に近いものとなる。
また、上述の実施形態１および２では、表面実装型の発光装置１０，２０を例に説明したが、この発明の思想は上述の表面実装型に限られるものではなく、砲弾型など他の形態の発光装置にも適用できる。
【００３９】
実施形態３
実施形態３は、上述の実施形態１又は２に係る発光装置１０，２０をカメラ付き携帯電話の補助光源として搭載したものである。図５は実施形態３に係るカメラ付き携帯電話の説明図である。
図５に示されるように、実施形態３に係るカメラ付き携帯電話３０は、その一部にＣＣＤカメラ３１を備え、ＣＣＤカメラ３１の近傍に補助光源として実施形態１又は２に係る発光装置１０，２０を搭載している。
【００４０】
上述のとおり、実施形態１又は２に係る発光装置１０，２０は、白色光と赤色光とを選択的に発光できるため、撮影時の補助光源としての機能と、メール若しくは電話の着信、又は充電中であることを示す赤色ランプとしての機能とを果たすことができる。
また、実際の撮影時を除くカメラモード時には赤色光が点滅するように設定されており、周囲にカメラ付き携帯電話３０が何らかの作動状態にあることを積極的に知らしめて、盗撮の防止が図られるように構成されている。
【００４１】
図６は、実施形態３に係るカメラ付き携帯電話３０のブロック図である。
図６に示されるように、ＣＣＤカメラ３１および発光装置１０，２０は制御部３２によって駆動・制御されている。制御部３２は、撮影画像を表示する表示部３３、ユーザーが操作するカメラモードスイッチ３４、シャッター３５および補助光源スイッチ３６などとも接続されている。
【００４２】
以下、制御部３２が発光装置１０，２０を制御する制御フローについて、図７に示すフローチャート図に基づいて説明する。
【００４３】
まず、カメラモードスイッチ３４を介してカメラモードの要求がなされたか否かを判断する（ステップ１）。
ステップ１でカメラモードの要求がなされたと判断すると、ＣＣＤカメラ３１を起動させてカメラモードとする（ステップ２）。
ステップ２でカメラモードになると、補助光源スイッチ３６を介して補助光源の点灯要求がなされたか否かを判断する（ステップ３）。
【００４４】
ステップ３で補助光源の点灯要求がなされたと判断すると、青色および赤色ＬＥＤチップ１，２を発光させ補助光源として白色光を発光させる（ステップ４）。
ステップ４で補助光源が発光させられると、シャッター３５が操作されたか否かを判断する（ステップ５）。
ステップ５でシャッター３５が操作されたと判断すると、ＣＣＤカメラ３１に画像を撮像させる（ステップ６）。
ステップ６でＣＣＤカメラ３１に画像を撮像させると、補助光源を消灯させ（ステップ７）、カメラモードが継続されるか否かを判断し（ステップ８）、カメラモード継続の場合は先のステップ３に戻り、カメラモードが継続されないと判断した場合は一連のフローを終了する。
【００４５】
一方、ステップ３で補助光源の点灯要求がなされなかった場合は、赤色ＬＥＤチップ２を間欠的に発光させる（ステップ９）。
ステップ９で赤色ＬＥＤチップ２を間欠的に発光させると、シャッター３５が操作されたか否かを判断する（ステップ１０）。
ステップ１０でシャッター３５が操作されたと判断すると赤色ＬＥＤ２の発光を止めさせ（ステップ１１）、ＣＣＤカメラ３１に画像を撮像させる（ステップ１２）。
ステップ１２でＣＣＤカメラ３１に画像を撮像させると、カメラモードが継続されるか否かを判断し（ステップ１３）、カメラモード継続の場合は先のステップ３に戻り、カメラモードが継続されないと判断した場合は一連のフローを終了する。
【００４６】
上述のフローでは、カメラモードで補助光源としての点灯要求がなされた場合には白色光が発せられ、補助光源としての点灯要求がなされなかった場合には実際の撮像時を除いて赤色光が点滅する。
これにより、補助光源としての点灯要求の有無に係わらず、カメラモード時には周囲にカメラ付き携帯電話３０が何らかの作動状態にあることを光によって知らしめることができ、盗撮の防止を図ることができる。
【００４７】
なお、上述のフローでは補助光源として点灯要求がなされなかった場合にのみ赤色光が点滅するが、点灯要求がなされたか否かに係わらず赤色光を点滅させることもできる。その場合の制御フローについて図８に基づいて説明する。
【００４８】
まず、カメラモードスイッチ３４を介してカメラモードの要求がなされたか否かを判断する（ステップ１）。
ステップ１でカメラモードの要求がなされたと判断すると、ＣＣＤカメラ３１を起動させてカメラモードとする（ステップ２）。
ステップ２でカメラモードになると、補助光源スイッチ３６を介して補助光源の点灯要求がなされたか否かを判断する（ステップ３）。
【００４９】
ステップ３で補助光源の点灯要求がなされたと判断すると、青色ＬＥＤチップ１を間欠的に発光させると共に、赤色ＬＥＤチップ２を連続的に発光させる（ステップ４）。
ステップ４で青色ＬＥＤチップ１が間欠的に発光させられると共に赤色ＬＥＤチップが連続的に発光させられると、すなわち、白色光と赤色光が交互に点滅する状態となる。
ステップ４で白色光と赤色光が交互に点滅する状態となると、シャッター３５が操作されたか否かを判断する（ステップ５）。
【００５０】
ステップ５でシャッター３５が操作されたと判断すると、青色ＬＥＤチップ１の間欠発光を連続発光に切り換えて通常の白色光を補助光源として発光させ（ステップ６）、ＣＣＤカメラ３１に画像を撮像させる（ステップ７）。
ステップ７でＣＣＤカメラ３１に画像を撮像させると、補助光源を消灯させ（ステップ８）、カメラモードが継続されるか否かを判断し（ステップ９）、カメラモード継続の場合は先のステップ３に戻り、カメラモードが継続されないと判断した場合は一連のフローを終了する。
【００５１】
一方、ステップ３で補助光源の点灯要求がなされなかった場合は、赤色ＬＥＤチップ２を間欠的に発光させる（ステップ１０）。
ステップ１０で赤色ＬＥＤチップ２を間欠的に発光させると、シャッター３５が操作されたか否かを判断する（ステップ１１）。
ステップ１１でシャッター３５が操作されたと判断すると赤色ＬＥＤチップ２の発光を止めさせ（ステップ１２）、ＣＣＤカメラ３１に画像を撮像させる（ステップ１３）。
ステップ１３でＣＣＤカメラ３１に画像を撮像させると、カメラモードが継続されるか否かを判断し（ステップ１４）、カメラモード継続の場合は先のステップ３に戻り、カメラモードが継続されないと判断した場合は一連のフローを終了する。
【００５２】
以上のフローでは、補助光源の点灯要求の有無に係わらず、実際の撮像時を除くカメラモード時には赤色光の点滅状態となる。
これにより、カメラ付き携帯電話３０の補助光源あるいは赤色光のＬＥＤが何らかの作動状態にあることをより強く周囲に知らしめることができ、より一層の盗撮防止効果が得られる。
【００５３】
以上、実施形態１および２に係る発光装置１０，２０の使用例としてカメラ付き携帯電話３０を例に説明したが、発光装置１０，２０の使用例はカメラ付き携帯電話３０に限られるものではなく、デジタルカメラの補助光源に使用されても構わない。また、上述の低コストと小さな実装面積を活かして様々な機器の白色および赤色光源としても利用できる。
【図面の簡単な説明】
【００５４】
【図１】この発明の実施形態１に係る発光装置の平面図である。
【図２】図１のＡ−Ａ断面図である。
【図３】図１のＢ−Ｂ断面図である。
【図４】この発明の実施形態２に係る発光装置の断面図である。
【図５】この発明の実施形態３に係るカメラ付き携帯電話の説明図である。
【図６】実施形態３に係るカメラ付き携帯電話のブロック図である。
【図７】実施形態３において制御部が発光装置を制御する制御フローを示すフローチャート図である。
【図８】実施形態３において制御部が発光装置を制御する制御フローを示すフローチャート図である。
【符号の説明】
【００５５】
１・・・青色ＬＥＤチップ
１ａ，２ａ・・・発光部
２・・・赤色ＬＥＤチップ
３，２３・・・封止樹脂
４・・・黄色蛍光体
５・・・基体
５ａ・・・凹部
６ａ，６ｂ，７ａ，７ｂ・・・リードフレーム
８・・・銀ペースト
９・・・金線
１０，２０・・・発光装置
２３ａ・・・第１層
２３ｂ・・・第２層
３０・・・カメラ付き携帯電話
３１・・・ＣＣＤカメラ
３２・・・制御部
３３・・・表示部
３４・・・カメラモードスイッチ
３５・・・シャッター
３６・・・補助光源スイッチ
【図１】
2008305992.tif 000003
【図２】
2008305992.tif 000004
【図３】
2008305992.tif 000005
【図４】
2008305992.tif 000006
【図５】
2008305992.tif 000007
【図６】
2008305992.tif 000008
【図７】
2008305992.tif 000009
【図８】
2008305992.tif 000010